(57)【要約】【課題】保育園児や幼稚園児などの児童でも日除けカバーの着脱が一人で容易にできるようにする。【解決手段】帽子本体１の後縁部にゴム紐が伸縮自在に縫い付けられ頭回りがフリーサイズの児童用帽子であって、帽子本体の後縁部内面でゴム紐縫付部２を避けた中央位置に１つのスナップボタン５ａを止着し、帽子本体の後縁部内面で該ゴム紐縫付部２の両外方位置に面ファスナ７ａ，８ａをそれぞれ縫い付けると共に、日除けカバーの上縁部にゴム紐を伸縮自在に縫い付け、該日除けカバーの上縁部外面でゴム紐縫付部１１を避けた中央位置に前記スナップボタン５ａと着脱するスナップボタン５ｂを止着し、該日除けカバーの上縁部外面で該ゴム紐縫付部１１の両外方位置に前記面ファスナ７ａ，８ａと着脱する面ファスナ７ｂ，８ｂをそれぞれ縫い付けてなる。【選択図】図１
0003116526.tif 000002
【実用新案登録請求の範囲】
【請求項１】
帽子本体の後縁部にゴム紐が伸縮自在に縫い付けられ頭回りがフリーサイズの児童用帽子であって、帽子本体の後縁部内面でゴム紐縫付部を避けた両外方位置に面ファスナをそれぞれ縫い付けると共に、日除けカバーの上縁部にゴム紐を伸縮自在に縫い付け、該日除けカバーの上縁部外面でゴム紐縫付部を避けた両外方位置に前記面ファスナと着脱する面ファスナをそれぞれ縫い付けてなることを特徴とする日除けカバー付き児童用帽子。
【請求項２】
帽子本体の後縁部にゴム紐が伸縮自在に縫い付けられ頭回りがフリーサイズの児童用帽子であって、帽子本体の後縁部内面でゴム紐縫付部を避けた中央位置に１つのスナップボタンを止着し、帽子本体の後縁部内面で該ゴム紐縫付部の両外方位置に面ファスナをそれぞれ縫い付けると共に、日除けカバーの上縁部にゴム紐を伸縮自在に縫い付け、該日除けカバーの上縁部外面でゴム紐縫付部を避けた中央位置に前記スナップボタンと着脱するスナップボタンを止着し、該日除けカバーの上縁部外面で該ゴム紐縫付部の両外方位置に前記面ファスナと着脱する面ファスナをそれぞれ縫い付けてなることを特徴とする日除けカバー付き児童用帽子。
【考案の詳細な説明】
【技術分野】
【０００１】
本考案は、通園、通学時等に被る日除けカバー付き児童用帽子に関するものである。
【背景技術】
【０００２】
一般に児童用帽子は、帽子本体の後縁部にゴム紐が伸縮自在に縫い付けられ頭回りがフリーサイズになったものが多い。
一方、下記特許文献１は、帽子本体の後縁部に面ファスナによって頭回りのサイズを自由に調節可能にした帽子を開示するものである。
また、下記特許文献２は、面ファスナによってマスクを着脱自在に設けた作業用帽子又は頭巾を開示するものである。
【特許文献１】実公平６−１３２１４号公報
【特許文献２】実公平７−２５７２号公報
【０００３】
ところで、過度な日焼けは皮膚ガン発症のおそれがあるなど有害であることから、児童用帽子では後側にボタンによって日除けカバーを着脱自在となるように取付け、児童の首の後側が直射日光に曝されることのないようにすることで、通園、通学時等の日焼けが防止されるようにしたものが知られている。
【考案の開示】
【考案が解決しようとする課題】
【０００４】
しかしながら、保育園児や幼稚園児ではボタンの掛け外しがうまくできないために、従来の児童用帽子のように複数のボタンにより日除けカバーが付けられていたものでは、先生や保護者がいちいちその世話をしなければならないという問題があった。
【課題を解決するための手段】
【０００５】
本考案は上記課題を解決しようとするもので、請求項１に記載した考案は、帽子本体の後縁部にゴム紐が伸縮自在に縫い付けられ頭回りがフリーサイズの児童用帽子であって、帽子本体の後縁部内面でゴム紐縫付部を避けた両外方位置に面ファスナをそれぞれ縫い付けると共に、日除けカバーの上縁部にゴム紐を伸縮自在に縫い付け、該日除けカバーの上縁部外面でゴム紐縫付部を避けた両外方位置に前記面ファスナと着脱する面ファスナをそれぞれ縫い付けてなることを特徴とする。
【０００６】
また、請求項２に記載した考案は、帽子本体の後縁部にゴム紐が伸縮自在に縫い付けられ頭回りがフリーサイズの児童用帽子であって、帽子本体の後縁部内面でゴム紐縫付部を避けた中央位置に１つのスナップボタンを止着し、帽子本体の後縁部内面で該ゴム紐縫付部の両外方位置に面ファスナをそれぞれ縫い付けると共に、日除けカバーの上縁部にゴム紐を伸縮自在に縫い付け、該日除けカバーの上縁部外面でゴム紐縫付部を避けた中央位置に前記スナップボタンと着脱するスナップボタンを止着し、該日除けカバーの上縁部外面で該ゴム紐縫付部の両外方位置に前記面ファスナと着脱する面ファスナをそれぞれ縫い付けてなることを特徴とする。
【考案の効果】
【０００７】
請求項１に記載した考案では、保育園児や幼稚園児などの児童でも日除けカバーの着脱が容易にできるようになる。また、日除けカバーを取り付けても帽子本体のフリーサイズで伸縮自在な状態が保たれることから使用勝手がよい。
【０００８】
また、請求項２に記載した考案では、スナップボタンを被着することによって日除けカバーが常に左右にずれることなく取り付けられる。また、日除けカバーを取り付けても帽子本体のフリーサイズで伸縮自在な状態が保たれることから使用勝手がよい。
【考案を実施するための最良の形態】
【０００９】
図１は本考案に係る児童用帽子の帽子本体とこれに着脱自在に取り付けられる日除けカバーとを斜め後方から見た斜視図、図２はこれらを前下方部から見た斜視図である。略半球状に形成された帽子本体１は、後縁部の表地と裏地との間にゴム紐を縫い付けることにより伸縮自在なるゴム紐縫付部２が設けられ、頭回りがフリーサイズとなるように縫製されている。３は該帽子本体１の前縁部に形成された庇である。なお、図示省略しているが、ゴム紐からなる首掛紐の両端部が該帽子本体１の両側縁部に縫着される。
【００１０】
５ａは帽子本体１の後縁部内面でゴム紐縫付部２を避けた中央位置にハンドプレス機等を使ってハトメ状に止着された１つのスナップボタン、６は該スナップボタンを帽子本体１の後縁部内面に止着する際に基端部を挟着しループ状となるようにした引掛紐である。また、７ａ，８ａは帽子本体１の後縁部内面でゴム紐縫付部２の両外方位置に縫い付けた面ファスナである。
【００１１】
一方、１０は日除けカバーで、その上縁部の表地と裏地との間にゴム紐を縫い付けることにより伸縮自在なるゴム紐縫付部１１が設けられている。そして該日除けカバーの上縁部外面でゴム紐縫付部１１を避けた中央位置に前記スナップボタン５ａと着脱するスナップボタン５ｂがハンドプレス機等を使ってハトメ状に止着される。また、該日除けカバー１０の上縁部外面で該ゴム紐縫付部１１の両外方位置に前記面ファスナ７ａ，８ａと着脱する面ファスナ７ｂ，８ｂがそれぞれ縫い付けられる。
【００１２】
このため、スナップボタン５ａにスナップボタン５ｂを被着すると共に、面ファスナ７ａ，８ａに面ファスナ７ｂ，８ｂをそれぞれ被着することにより、図３に示したように、帽子本体１の後縁部に日除けカバー１０が取り付けられる。このときスナップボタン５ａ，５ｂが中央位置に設けられていることから日除けカバー１０を左右にずれることなく取り付けることができる。また、スナップボタン５ａおよび面ファスナ７ａ，８ａはゴム紐縫付部２を避けて設けられ、スナップボタン５ｂおよび面ファスナ７ｂ，８ｂはゴム紐縫付部１１を避けて設けられているので、日除けカバー１０を取付けても伸縮自在な状態を保ち得る。このため、日除けカバー１０を取付けても頭回りがフリーサイズであることに変わりがないと共に、そのゴム紐の弾性により児童の頭に密着し風によって飛ばされないように被ることができる。
【００１３】
また、面ファスナ７ａ，８ａと面ファスナ７ｂ，８ｂとを被着するだけでも離脱することなく十分に確実に被着することができるので、先生や保護者に世話を掛けることなく、児童が一人で日除けカバー１０を着脱することも容易となる。
また、引掛紐６はスナップボタン５ａによって帽子本体１に止着されることから縫付の手間を要しない。
【図面の簡単な説明】
【００１４】
【図１】本考案に係る日除けカバー付き児童用帽子を斜め後方から見た斜視図。
【図２】本考案に係る日除けカバー付き児童用帽子を前下方部から見た斜視図。
【図３】本考案に係る日除けカバー付き児童用帽子の使用状態を斜め後方から見た斜視図。
【図４】本考案に係る日除けカバー付き児童用帽子の要部の断面図。
【符号の説明】
【００１５】
１                        帽子本体
２                        ゴム紐縫付部
５ａ，５ｂ                スナップボタン
６                        引掛紐
７ａ，８ａ，７ｂ，８ｂ    面ファスナ
１０                      日除けカバー
１１                      ゴム紐縫付部
【図１】
0003116526.tif 000003
【図２】
0003116526.tif 000004
【図３】
0003116526.tif 000005
【図４】
0003116526.tif 000006